(57)【要約】【課題】設置スペースおよび設置作業スペースが限られていても組み立て及び取り付けが簡単に行える突っ張りブラケットの提供。【解決手段】突っ張りブラケット１０は、曲げ変位可能な第１突っ張りプレート２０と第２突っ張りプレート３０の第１接続部２２と第２接続部３２を重ね合わせ、ネジ５０をナット５１に螺合して締め付けると、第２接続部３２に設けた凸部４０が第１接続部２２に当接し、凸部４０を支点として第２接続部３２が第１接続部３２側に向けて回転する。第２突っ張りプレート３０は回転方向とは逆方向に向けて後退した位置まで傾斜しているため、第２突き当て部３２が第２取り付け面２との当接が維持されて動かず、第２突っ張りプレート３０が曲げ変位して曲げ応力が発生し、この曲げ応力に基づいて突っ張りブラケット１０の第１突き当て部２２と第２突き当て部３２に突っ張り力が生じる。【選択図】図４
2020060204.tif 000002
【特許請求の範囲】
【請求項１】
対向する取り付け対象部の間に設置される突っ張りブラケットであって、
曲げ変形可能な帯状に形成され、基端部側の接続部同士を重ね合わせて組み立てられ、各先端部が前記各取り付け対象部に当接する一対の突っ張りプレートと、
前記一対の突っ張りプレートの重ね合わせた端部同士を締め付ける締結手段と、
前記締結手段による締め付けにより、前記一方の突っ張りプレートに所定の回転中心位置を中心として前記一方の突っ張りプレートに所定方向の回転力を付与する回転力発生手段と、を有し、
前記少なくとも一方の突っ張りプレートは、前記回転力付与方向と反対方向に向けて後退して配置され、前記一方の突っ張りプレートの先端部は前記後退方向において、前記回転中心よりもさらに後退方向に位置することを特徴とする突っ張りブラケット。
【請求項２】
前記一対の突っ張りプレートのうちで、他方の突っ張りプレートは、前記取り付け対象部と直交する方向に配置されていることを特徴とする請求項１に記載の突っ張りブラケット。
【請求項３】
前記一対の突っ張りプレートのうちで、他方の突っ張りプレートは前記後退方向に向けて配置されていることを特徴とする請求項１に記載の突っ張りブラケット。
【請求項４】
前記回転力発生手段は、前記一方の突っ張りプレートの接続部の後端部を前記他方の突っ張りプレートの接続部に向かう移動を規制する凸部を有し、前記凸部を回転中心として前記一方の突っ張りプレートに回転力を付与することを特徴とする請求項１から３のいずれかに記載の突っ張りブラケット。
【請求項５】
前記一方の突っ張りプレートの接続部に、前記一方の突っ張りプレートを前記後退方向に向けて鈍角の後退角で折り曲げる折り曲げ部を有することを特徴とする請求項１から４のいずれかに記載の突っ張りブラケット。
【請求項６】
前記双方の突っ張りプレートの接続部には、重ね合わせた位置で嵌合して長手方向に沿ってスライド可能なハーフパンチ加工の突出部が形成されていることを特徴とする請求項１から５のいずれかに記載の突っ張りブラケット。
【請求項７】
請求項１から６のいずれかに記載の突っ張りブラケットを備えた機器であって、
前記一方の突っ張りプレートまたは他方の突っ張りプレート、あるいは前記双方の突っ張りプレートに機器を取り付けたことを特徴とする突っ張りブラケットを備えた機器。
【請求項８】
請求項２に記載の突っ張りブラケットの前記一方の突っ張りプレートと前記他方の突っ張りプレートにそれぞれ送風ファンを配置したことを特徴とする請求項７に記載の突っ張りブラケットを備えた機器。
【請求項９】
請求項２に記載の突っ張りブラケットの前記他方の突っ張りプレートに害虫駆除装置を配置したことを特徴とする請求項７に記載の突っ張りブラケットを備えた機器。
【請求項１０】
請求項３に記載の突っ張りブラケットを垂直な前記取り付け対象部間に前記後退方向を下向きにして設置し、前記突っ張りブラケットの上部に機器を取り付けたことを特徴とする請求項７に記載の突っ張りブラケットを備えた機器。
【発明の詳細な説明】
【技術分野】
【０００１】
本発明は、突き当て面間に配置される帯状弾性部材の曲げ応力を利用して突っ張り力を発生する技術に関する。
【背景技術】
【０００２】
一般に突っ張り棒、突っ張りフレーム等を備えた突っ張り方式の突っ張りブラケットは、ビスや接着剤による固定を不要として対向する壁面間に棚を設置する手段、機器を部屋内に設置する手段として利用されている（特許文献１、２）。
【０００３】
特許文献１に記載の突っ張りブラケットは、長手方向に沿って連結される２つのフレームを有し、例えば対向する所定間隔の壁面距離に合わせて両フレームの全長を調節し、弾性力により両フレームの外端面を各壁面に押し付けることにより生じる突っ張り力で、両フレームが対向する壁面間に保持される。特許文献２に記載の突っ張りブラケットは、突っ張りブラケットを構成する２本の突っ張り棒の上に換気扇を取り付け、換気扇の上に突き当て棒を設けた構成で、換気扇を床と天井の間に設置する。
【０００４】
特許文献１、２に記載の突っ張りブラケットは、コイルスプリング等の弾性部材に突っ張り方向に沿った弾性力を発生させている。特許文献１に記載の突っ張りブラケットでは、突っ張り方向に沿って配置したボルトを回すと、一方の突っ張りフレームに配置した弾性部材（駒）が弾性変形し、他方の突っ張りフレームに弾性力を付与する。
【０００５】
特許文献２に記載の突っ張りブラケットでは、一方の突っ張り棒を他方の突っ張り棒に対して押し込むと、内蔵するコイルスプリングが縮んで弾性力を付与する。このため、機器の設置の際には、一方の突っ張り棒を他方の突っ張り棒に対して予め押し込んだ状態を保持し、設置位置で一方の突っ張り棒を手から離すことで床と天井との間に突っ張り力を得る。
【先行技術文献】
【特許文献】
【０００６】
【特許文献１】特開２０１３−１３８８１８号公報
【特許文献２】特開２０００−１４５６８７号公報
【発明の概要】
【発明が解決しようとする課題】
【０００７】
ところで、従来の突っ張りブラケットにおいて、突っ張りフレームおよび突っ張り棒は設置する壁面間あるいは天井と床との間に直角に配置されて長さ方向に突っ張り力を発生させていることから、比較的広い作業スペースでの作業に適している。
【０００８】
また、突っ張りフレームや突っ張り棒は直線状としているため、例えば両方の突っ張りフレームを機器取り付け面とする場合、両方の機器取り付け面は平行で、山形形状のように互いに異なる向きに設けるという自由度が得られない。
【０００９】
例えば自動車車室内の内張りを外してその内側に機器を後付けで設置する場合、機器の後付けスペースは一般に狭隘であることが多い。このため、従来の設置手法のようにＬ字ブラケット等を用いようとしても、希望の設置場所近辺にＬ字ブラケットをねじ止めするねじ止め可能な穴が開いているとは限らない。また、接着剤等を使用すると既存の穴等を気にする事無く、希望の場所に設置出来る場合もあるが、一回で位置を確実に決定しなければならない事、平らかつ直線的な面以外には取り付けが難しく、垂直な面や天面に対しては、接着能力を発揮するまで圧着していなければならない事もある。また取り外す場合にも、接着剤等の後処理については相応の知識と技量を要する。また、ビス止めは、自動車に対して、ビスを打ち込む行為自体、誰しもが避けたい行為であった。
【００１０】
このような状況において、狭隘な場所に機器を取り付け装置により設置する場合、機器を予め装着した取り付け装置は、自由度の少ない空間での取り付け作業となる。このため、取り付け装置には、分割可能でかつ組み立てが行い易い構造が求められる。
【００１１】
しかし、特許文献1に記載の突っ張りフレームは、突っ張りフレームが直線的な構造となっており、取り付け対象部が対向壁面等のような平行な２面に限られる。また、突っ張りフレームは分割構造とはなっているが、多数の部品が用いられているため、突っ張りフレームより小さな開口部の狭隘な場所にて、組み立て設置するのは困難である。
【００１２】
また、住居等の建物において、屋根裏等の見えない場所とは言え、住居にビスを打ち込み壁などに穴を開ける行為は誰しもが避けたい行為である。また、屋根裏には害虫が住み着いている場合もあるため、あまり入りたくない空間であるが、害虫駆除等を目的として機器等の部品を設置したい場合があり、屋根裏点検口近くでの作業のみで、設置可能を完了させたいという要望もある。
【００１３】
しかし、従来の突っ張りブラケットは、部屋の壁面間、床と天井の間のように設置作業に障害のない空間での取り付けを前提としているため、屋根裏点検口近く等での組み立ては難しい。また、引用文献１のボルトで駒を螺進させて突っ張りフレームに弾性力を付与する構成では、ボルトを締め付けるレンチやドライバー等を装入するために、屋根裏点検口を通して屋根裏内まで深く手を差し入れなければならず、組み立てが困難である。
【００１４】
第１の発明の目的は、このような問題点を解決するため、設置スペースおよび設置作業スペースが限られていても組み立て及び取り付けが簡単に行える突っ張りブラケットを提供するものである。
【００１５】
第２の発明の目的は、設置環境に応じて機器を容易に設置できる突っ張りブラケットを備えた機器を提供するものである。
【課題を解決するための手段】
【００１６】
第１の発明の目的を実現する突っ張りブラケットの第１の構成は、対向する取り付け対象部の間に設置される突っ張りブラケットである。この突っ張りブラケットは、曲げ変形可能な帯状に形成され、基端部側の接続部同士を重ね合わせて組み立てられ、各先端部が前記各取り付け対象部に当接する一対の突っ張りプレートと、前記一対の突っ張りプレートの重ね合わせた端部同士を締め付ける締結手段と、前記締結手段による締め付けにより、前記一方の突っ張りプレートに所定の回転中心位置を中心として前記一方の突っ張りプレートに所定方向の回転力を付与する回転力発生手段と、を有し、前記少なくとも一方の突っ張りプレートは、前記回転力付与方向と反対方向に向けて後退して配置され、前記一方の突っ張りプレートの先端部は前記後退方向において、前記回転中心よりもさらに後退方向に位置するようにしている。
【００１７】
第１の発明の目的を実現する突っ張りブラケットの第２の構成は、前記一対の突っ張りプレートのうちで、他方の突っ張りプレートは、前記取り付け対象部と直交する方向に配置する構成とすることができる。
【００１８】
第１の発明の目的を実現する突っ張りブラケットの第３の構成は、前記一対の突っ張りプレートのうちで、他方の突っ張りプレートは前記後退方向に向けて配置する構成とすることもできる。
【００１９】
第１の発明の目的を実現する突っ張りブラケットの第４の構成は、前記回転力発生手段は、前記一方の突っ張りプレートの接続部の後端部を前記他方の突っ張りプレートの接続部に向かう移動を規制する凸部を有し、前記凸部を回転中心として前記一方の突っ張りプレートに回転力を付与する構成とすることができる。
【００２０】
第１の発明の目的を実現する突っ張りブラケットの第５の構成は、前記一方の突っ張りプレートの接続部に、前記一方の突っ張りプレートを前記後退方向に向けて鈍角の後退角で折り曲げる折り曲げ部を有する構成とすることができる。
【００２１】
第１の発明の目的を実現する突っ張りブラケットの第６の構成は、前記双方の突っ張りプレートの接続部には、重ね合わせた位置で嵌合して長手方向に沿ってスライド可能なハーフパンチ加工の突出部を形成することもできる。
【００２２】
本発明の第２の目的を実現する突っ張りブラケットを備えた機器の第１の構成は、上記いずれかの突っ張りブラケットを備えた機器である。この機器は前記一方の突っ張りプレートまたは他方の突っ張りプレート、あるいは前記双方の突っ張りプレートに機器を取り付けた構成である。
【００２３】
本発明の第２の目的を実現する突っ張りブラケットを備えた機器の第２の構成は、上記した第２の構成の突っ張りブラケットの前記一方の突っ張りプレートと前記他方の突っ張りプレートにそれぞれ送風ファンを配置した構成とする。この機器は、前記一方の突っ張りプレートを下側、前記他方の突っ張りプレートを上側に位置させ、例えば自動車の車室内に配置されるバッテリーユニットの保護板と前記保護板を取り囲むバッテリーケースの間で、前記保護板の後部の上下に設けた吸気口に合わせて前記突っ張りブラケットを配置することができる。下側の吸気口が傾斜していると、前記一方の突っ張りプレートを傾斜させて先端部をボディーパネルに当接し、他方の突っ張りプレートを前記バッテリーケースの内側桟部に当接させて固定することができる。
【００２４】
本発明の第２の目的を実現する突っ張りブラケットを備えた機器の第３の構成は、上記した第２の構成の突っ張りブラケットの前記他方の突っ張りプレートに害虫駆除装置を配置した突っ張りブラケットを備えた機器である。この機器は、例えば前記一方の突っ張りプレートを下側、前記他方の突っ張りプレートを上側に位置させ、屋根裏の野地板と床の間で、前記床に設けた点検口の近くに前記突っ張りブラケットを配置し、前記一方の突っ張りプレートを傾斜させて先端部を前記床に当接し、他方の突っ張りプレートを前記野地板に当接させることができる。
【００２５】
本発明の第２の目的を実現する突っ張りブラケットを備えた機器の第４の構成は、上記した第３の構成の突っ張りブラケットを垂直な前記取り付け対象部間に前記後退方向を下向きにして設置し、前記突っ張りブラケットの上部に機器を取り付けた構成とした。
【発明の効果】
【００２６】
請求項１、７、９に係る発明によれば、ネジ等の締結手段を締め付けると、取り付け対象部間で突っ張りブラケットには曲げ変位に基づいて曲げ応力が発生し、この曲げ応力に基づく突っ張り力で突っ張りブラケットの両端が対向する取り付け対象部を押し付け、突っ張りブラケットが固定される。
【００２７】
このため、狭隘な場所や、手の届かない、又は直接触れたくない場所に対して物品を設置したい場合に、狭隘な場所などでの組み立てが容易に行える。また、設置される対象物へ、ビス止め等を行わず、例えば床面と天井又は壁面等の対向する２面を有する空間において、任意の位置に機器（物品）を固定・設置する事ができる。
【００２８】
請求項２に係る発明によれば、例えば垂直面と傾斜面に沿って突っ張りブラケットを設置することができる。
【００２９】
請求項３、１０に係る発明によれば、突っ張りブラケットを水平方向に設置することができ、突っ張りブラケットに加わる下向き荷重が双方の突っ張りプレートに対して軸力を発生させ、より強固に突っ張りブラケットを固定することができる。
【００３０】
請求項４に係る発明によれば、簡単な構成で突っ張り力を得ることができる。
【００３１】
請求項５に係る発明によれば、簡単な構成で一方の突っ張りプレートを後退方向に向けて配置することができる。
【００３２】
請求項６に係る発明によれば、双方の接続部の位置合わせを容易で確実に行うことができる。
【００３３】
請求項８に係る発明によれば、例えばハイブリッド自動車のバッテリーユニットに対し、後付けで送風ファンを安全でガタつくことなく設置することができる。
【図面の簡単な説明】
【００３４】
【図１】本発明による突っ張りブラケットの第１実施形態を示す分解斜視図である。
【図２】図１に示す突っ張りブラケットの第１突っ張りプレートの外観斜視図である。
【図３】図１に示す突っ張りブラケットの第２突っ張りプレートの外観斜視図である。
【図４】図１に示す突っ張りブラケットの作動原理を説明する図で、図１のＡＡ断面図ある。
【図５】本発明の第２実施形態を示し、（ａ）は突っ張りブラケットを備えた機器が取り付けられる自動車の概略平面図、（ｂ）は（ａ）のＢＢ断面図である。
【図６】図５（ｂ）のＣＣ拡大断面図である。
【図７】（ａ）は突っ張りブラケットを備えた機器の外観斜視図、（ｂ）は図５（ｂ）のＤ部の拡大図である。
【図８】本発明の第３実施形態を示す側面図である。
【図９】本発明の第４実施形態を示す側面図である。
【発明を実施するための形態】
【００３５】
以下、本発明を図面に示す実施形態に基づいて詳細に説明する。
【００３６】
第１実施形態
図１において、突っ張りブラケット１０は、第１突っ張りプレート２０と、第２突っ張りプレート３０と、ネジ５０と、ネジ５０が螺着されるナット５１とを有する。第１突っ張りプレート２０と第２突っ張りプレート３０は、鉄板などの弾性変形可能な板材により帯状（矩形平板状）に形成される。第１突っ張りプレート２０と第２突っ張りプレート３０は同じ幅とし、第１突っ張りプレート２０を第２突っ張りプレート３０と略同じ長さにしているが、異なる長さにしても良く、また異なる幅にしても良く、幅および長さはこれに限定されるものではない。
【００３７】
図２に示すように、第１突っ張りプレート２０は、長さ方向の一端部を第１突き当て部２１とし他端部を第１接続部２２とする。第１突っ張りプレート２０は、第１突き当て部２１を端部に有する第１プレート本体２３が第１段差部２４を介して第１接続部２２に連設される。第１プレート本体２３と第１接続部２２は第１段差部２４により上下（板厚方向）に高さＨ１の段差を有して一体的に形成される。なお、第１突っ張りプレート２０は、図２に示す状態において、上面を表面とし、下面を裏面とする。
【００３８】
第１接続部２２は、幅方向両側に長さ方向に沿った長孔２５、２５を有し、両長孔２５、２５の内側にハーフパンチ加工による角形状の第１突出部２６、２６が幅方向に間隔を有して形成される。長孔２５、２５にはネジ５０が差し込まれる。第１突出部２６、２６は表面側に向けて突出し、裏面側が窪んだ凹部構造としている。第１突出部２６，２６は第１接続部２２の長手方向に沿った曲げ剛性を高くしている。
【００３９】
図３に示すように、第２突っ張りプレート３０は、長さ方向の一端部を第２突き当て部３１とし他端部を第２接続部３２とする。なお、第２突っ張りプレート３０は、図３に示す状態において、上面を表面とし、下面を裏面とする。第２突っ張りプレート３０は、第２突き当て部３１を端部に有する第２プレート本体３３が第２段差部３４を介して第２接続部３２に連設される。第２接続部３２は、幅方向に延びる折り曲げ部３７を挟んで接続本体プレート３８と後退プレート３９を有する。後退プレート３９は段差部３４に連設して第２プレート本体３３と平行に設けられる。折り曲げ部３７は後退プレート３９に対して接続本体プレート３８を鈍角（θ）の後退角で折り曲げている。すなわち、第２突っ張りプレート３０は、第２接続部３２の表面側とは反対の反対面側に後退して配置される。
【００４０】
第２プレート本体３３と後退プレート３９は第２段差部３４により上下方向（板厚方向）に高さＨ２の段差を有して一体に形成される。後退プレート３９は、鈍角θの後退角により第２突き当て部３１を回転力発生手段である後記する凸部４０よりも裏面方向に後退させる。なお、高さＨ１と高さＨ２を同じ高さとしても、異なる高さとしても良い。
【００４１】
接続本体プレート３８は、幅方向両側に第１接続部２２の長孔２５、２５に対応してネジ５０が差し込まれるネジ挿通孔３５を有し、各ネジ挿通孔３５の裏面側にナット５１が固定されている。幅方向両側のネジ挿通孔３５の内側に、ハーフパンチ加工による角形状の第２突出部３６、３６が第１突出部２６、２６に対応して形成される。第２突出部３６、３６は表面側に向けて突出し、裏面側が窪んだ構造としている。本実施形態において、第２突出部３６の表面に突出する幅は、第１突出部２６の裏面側凹部の内幅にスライド可能に嵌合する寸法に形成されている。
【００４２】
接続本体プレート３８の外端部は、幅方向に沿って高さＨ３の凸部４０が上向きに設けられている。この凸部４０の作用について図４を参照して以下に説明する。
【００４３】
図１および図４に示すように、突っ張りブラケット１０は、第２突っ張りプレート３０の第２接続部３２の接続本体プレート３８上に第１突っ張りプレート２０の第１接続部２２を重ね、ネジ５０をそれぞれ長孔２５、２５からネジ挿通孔３５に通し、ナット５１にねじ込む。ネジ５０を緩く締め付けた状態で長孔２５、２５の長手方向範囲内で第１突っ張りプレート２０と第２突っ張りプレート３０は長手方向にスライドして突っ張りブラケット１０の全長を調節可能とする。その際、第２突出部３６が第１突出部２６の裏面側凹部に嵌合してガイドされるので、スムーズで確実な長さ調節が行える。
【００４４】
仮に、接続本体プレート３８に凸部４０が設けられていない場合、ネジ５０を締め付けると、第１接続部２２の裏面に第２接続部３２の接続本体プレート３８の表面が隙間なく接触する。すなわち、第１突っ張りプレート２０に対して第２突っ張りプレート３０が平行に移動して一体的に固定される。
【００４５】
これに対し、本実施形態では、接続本体プレート３８の表面端部に凸部４０を設けているので、ネジ５０を締め付けると、凸部４０が第１接続部２２の裏面に当接する。さらにネジ５０を締め付けると、接続本体プレート３８は凸部４０を支点として第１接続部２２側に向けて回転する（この回転方向を締め付け回転方向とする）。すなわち、第２突っ張りプレート３０には、第２突き当て部３１が凸部４０を中心として締め付け回転方向に向けて回転する回転力が付与される。
【００４６】
第２突っ張りプレート３０は、接続本体プレート３８に対して第２プレート本体３３は鈍角θの後退角で折り曲げられた折り曲げ部３７により締め付け回転方向と反対方向に向けて傾斜し、表裏方向において第２突き当て部３１は凸部４０よりも裏面側に位置する。
【００４７】
図４は、突っ張りブラケット１０を床などの第１取り付け面１と天井などの第２取り付け面２の平行な取り付け面間に設置した状態を示す。
【００４８】
（Ｉ）は第１突っ張りプレート２０を第１取り付け面１側に配置し、第２突っ張りプレート３０を第２取り付け面２側に配置し、ネジ５０は未だ締め付けていないセッティング状態を示す。
（ＩＩ）は（Ｉ）のセッティング状態からネジ５０を緩く締め付けて仮止めした状態を示す。仮止め状態で凸部４０を通過する第１取り付け面１と第２取り付け面２に垂直な垂線をＬとし、第２取り付け面２と凸部４０との直線距離をＭとし、凸部４０と第２突き当て部３１との直線距離（半径）をＲとする。この場合、半径Ｒと直線距離Ｍとは、Ｒ＞Ｍの関係であるため、第２突っ張りプレート３０に締め付け回転方向の回転を付与しても、第２突き当て部３１が第２取り付け面２に干渉し、第２突っ張りプレート３０の回転が阻止される。
【００４９】
（ＩＩＩ）は、（ＩＩ）の仮止め状態からネジ５０を固く締め付けた締付完了状態を示し、突っ張りブラケット１０は側面略「く」の字形状に設置される。仮止め状態からネジ５０を更に締め付けると、凸部４０を支点として接続本体プレート３８が第１接続部２２の裏面に傾斜状態で押し付けられ、ネジ５０を固く締めても第２突き当て部３１は動かない。このため、第１突っ張りプレート２０と第２突っ張りプレート３０に曲げ応力が加わり、突っ張りブラケット１０の第１突き当て部２１と第２突き当て部３１にそれぞれ第１取り付け面１と第２取り付け面２に対して突っ張り力が発生する。したがって、突っ張りブラケット１０は、床などの第１取り付け面１と天井などの第２取り付け面２との間に固定される。
【００５０】
第１突っ張りプレート２０と第２突っ張りプレート３０は、第１突出部２６および第２突出部３６により第１接続部２２および接続本体プレート３８の曲げ剛性が他の部分の曲げ剛性より高くし、他の部分の曲げ変位を多くして、適切な突っ張り力を得るようにしている。
【００５１】
本実施形態では、第１突っ張りプレート２０と第２突っ張りプレート３０を仮止め状態からネジ５０を徐々に締め付けることにより、第２突っ張りプレート３０に生じる曲げ応力に基づいて突っ張り力を得るようにしている。このため、突っ張りブラケット１０を取り付け対象部間にセッティング（組み立てる）する際に、大きな力で第２突っ張りプレート３０を予め曲げた状態を維持する必要がない。また突っ張りブラケット１０の表面側からネジ５０の締め付け作業が行えるので、作業性が良い。
【００５２】
また、ネジ５０の締結時に、第１突っ張りプレート２０の第１突出部２６と第２突っ張りプレート３０の第２突出部３６を目視しながら締結を行えば、第１突っ張りプレート２０と第２突っ張りプレート３０が直線的に締結されている目安にもなる。また、締付完了の最終締結状態において、第１突出部２６と第２突出部３６との嵌合を目視で確認するだけで、第１突っ張りプレート２０と第２突っ張りプレート３０の直線的な締結が保証でき、取り付け完了の信頼性が増す。
【００５３】
突っ張りブラケット１０の第１突き当て部２１と第２突き当て部３１は、断面がシャープエッジとしており、突っ張り力と合わさり滑り止めの役割を果たしている。なお、第１取り付け面１や第２取り付け面２の当接面にどうしても些細な傷すら付けたくない場合には、第１突き当て部２１と第２突き当て部３１にゴムキャップ等の保護部材を装着しても良い。
【００５４】
本実施形態において、第１突っ張りプレート２０に段差部２４を設けて第１プレート本体２３の裏面側に第１空所Ｓ１を設けているのは、第１空所Ｓ１に機器（不図示）を取り付けるためである。したがって、第１空所Ｓ１が不要の場合には段差部２４を設けず、第１プレート本体２３を第１接続部２２と直結した構成としても良い。
【００５５】
また、第２突っ張りプレート３０は、垂直に配置される第１プレート２３に対して傾斜した第２プレート本体３３の裏面側に機器（不図示）を取り付ける第２空所Ｓ２を設けているが、第２空所Ｓ２が不要であれば段差部３４を設けず、第２プレート本体３３を後退プレート３９と一体化しても良い。
【００５６】
第２実施形態
図５〜図７は本発明の第２実施形態を示す。
【００５７】
本実施形態は、ハイブリッド自動車１００の車室内１０１に設けられるバッテリーケース１０２内に収容されるバッテリーユニット１０３に突っ張りブラケットを備えた機器１２０を後付けで取り付けた構成としている。
【００５８】
図５および図６に示すように、ハイブリッド自動車１００は、車室内１０１の運転席１０４と助手席１０５との間にバッテリーユニット１０３が設置されている。バッテリーユニット１０３は、ボディーパネル１０６から上方に向けて設置されている。バッテリーユニット１０３の下部は、フロアー面１０７とボディーパネル１０６間の手が差し込み難いスペースに存在する。
【００５９】
図６に示すように、バッテリーユニット１０３は熱対策として、車体前方にクーリングファン１１１が備わっており、バッテリーユニット１０３の後方に上下に隔設して設けた吸気口１１２、１１３より車内空気の吸気を行い冷却する（矢印の様に空気の流れる）構造になっている。バッテリーユニット１０３は金属製の保護板１１４により取り囲まれており、保護板１１４の後面に設けられる上後板１１５に上吸気口１１２が形成され、下後板１１６に下吸気口１１３が形成されている。下後板１１６は下端側が車両前方に向けて傾斜して配置され、上後板１１５は垂直に立設して配置されている。
【００６０】
保護板１１４を取り囲むように分割構造のバッテリーケース１０２が配置されており、バッテリーケース１０２の内側と保護板１１４との間に設けられる隙間は限られている。
【００６１】
図７（ｂ）に示すように、バッテリーケース１０２は、下後板１１６と上後板１１５と対向する後部は開口し、この後開口部１０２Ａが後壁パネル部１０２Ｂにより取り外し可能に塞がれている。
【００６２】
本実施形態では、更なる冷却効果を向上させるために、上後板１１５および下後板１１６とバッテリーケース１０２との隙間に機器である送風ファン１２１をそれぞれ後付けで設置するもので、各送風ファン１２１は上後板１１５および下後板１１６に密接して設置する。
【００６３】
ところで、上吸気口１１２および下吸気口１１３の付近には、各種カバーや、フロアー面１０７が存在し、各送風ファン１２１を設置するための空間の制約が多い。このため、各送風ファン１２１を上吸気口１１２および下吸気口１１３にネジ等で直接取り付けるための障害が多い。
【００６４】
また、接着剤を使用しての設置では、空間の制約は問題無いが、接着後のはみでた接着剤等の後処理の問題や、位置決めを一回で決めなくてはならないという制約がある。
【００６５】
本実施形態は、図７（ａ）に示すように、送風ファン１２１を図１に示す構成の突っ張りブラケット１０と基本的な構成が同様の突っ張りブラケット１３０に取り付けたものである。なお、本実施形態の突っ張りブラケット１３０において、第１実施形態の突っ張りブラケット１０と同一構成の部材には同じ符号を付してその説明を省略する。
【００６６】
突っ張りブラケット１３０は、第１突っ張りプレート２０の第１プレート本体２３の幅を第１段差部２４の幅よりも広くし、同様に第２突っ張りプレート３０の第２プレート本体３３の幅を第２段差部３４の幅よりも広くしている。第１プレート本体２３には四角形の第１開口部１３１が幅方向に２つ形成され、第２プレート本体３３には四角形の第２開口部１３２が幅方向に２つ形成されている。第１プレート本体２３の第１空所Ｓ１と第２プレート本体３３の第２空所Ｓ２には、それぞれ第１開口部１３１、第２開口部１３２に臨むように送風ファン１２１が取り付けられている。なお、突っ張りブラケット１３０は、図１〜図３に示す第１突出部２６と第２突出部３６は設けていない。このため、第１接続部２２と第２接続部３２の曲げ変位を容易としている。
【００６７】
突っ張りブラケット１３０は、ボディーパネル１０６とバッテリーケース１０２の内側で、後開口部１０２Ａの上方に設けられた桟部１０２Ｃの間に配置される。ボディーパネル１０６と桟部１０２Ｃは平行で、第１突っ張りプレート２０の第１突き当て部２１がボディーパネル１０６に当接し、第２突っ張りプレート３０の第２突き当て部３１が桟部１０２Ｃに当接する。
【００６８】
後開口部１０２Ａの横幅は突っ張りブラケット１３０の横幅よりも広いが上下方向の高さは突っ張りブラケット１３０の高さよりも短い。このため、組み立て状態で突っ張りブラケット１３０を後開口部１０２Ａからバッテリーケース１０２の内側に入れ込むことができない。
【００６９】
そこで、送風ファン１２１を予め設けた第１突っ張りプレート２０と第２突っ張りプレート３０を別々に後開口部１０２Ａから上吸気口１１２および下吸気口１１３の背後に差し入れる。その際、第１突っ張りプレート２０の第１突き当て部２１をボディーパネル１０６の表面に突き当て、第２突っ張りプレート３０の第２突き当て部３１をバッテリーケース１０２の桟部１０２Ｃの下面に突き当てる。第１突っ張りプレート２０はボディーパネル１０６に対して傾斜して配置し、第２突っ張りプレート３０は桟部１０２Ｃに対して垂直に配置する。図４に示す作動原理図では、第２突っ張りプレート３０を傾斜させて曲げ応力を発生させているが、本実施形態では第１突っ張りプレート２０を傾斜させて曲げ応力を発生させて突っ張り力を得るようにしている。
【００７０】
第１接続部２２と第２接続部３２は後開口部１０２Ａに臨む位置に設けられる。そして、ネジ５０を長孔２５およびネジ挿通孔３５を通してナット５１にねじ込んで仮止めを行い、突っ張りブラケット１３０の長さ調節を行う。その際、第１突っ張りプレート２０を下後板１１６に沿って傾斜配置すると共に送風ファン１２１を下吸気口１１３に臨むように位置決めし、第２突っ張りプレート３０を上後板１１５に沿うように垂直配置すると共に送風ファン１２１を上吸気口１１２に臨むように位置決めする。位置決めが終了すると、ネジ５０を固く締め付けて突っ張りブラケット１３０に曲げ応力を発生させ、曲げ応力に基づく突っ張り力で第１突き当て部２１と第２突き当て部３１をボディーパネル１０６と桟部１０２Ｃに突き当て、突っ張りブラケット１３０を固定する。
【００７１】
本実施形態によれば、４個の送風ファン１２１を突っ張りブラケット１３０によって傾斜状態と垂直状態に配置することができる。突っ張りブラケット１３０は、狭隘な場所で容易に組み立てでき、特にネジ５０は後開口部１０２Ａに臨むため、ネジ締め作業が容易に行える。
【００７２】
また、突っ張りブラケット１３０は、ネジ５０を緩めるだけで固定状態を解除できるので、一旦設置した後にも、上吸気口１１２や下吸気口１１３と送風ファン１２１を見ながら位置修正が行え、最適な場所へ設置する事が可能となる。
【００７３】
第３実施形態
図８は第３実施形態を示す。
【００７４】
第３実施形態は、突っ張りブラケット１０に機器としてネズミ等の害虫を電磁波や超音波を発生する駆除装置１４０を取り付けた突破りブラケットを備えた機器１５０を屋根裏１６０に設置するものである。
【００７５】
一般家庭や倉庫等の建物の屋根裏にはねずみ等の害虫が侵入する場合がある。この対策として、例えば電磁波や超音波を発生する駆除装置があり、台所等でも効果は発揮されるが、屋根裏に設置するのが理想とされている。しかし、屋根裏は通常あまり入りたくない空間であるが、害虫は屋根裏の四方に木材が配置されているどこの部分でも通る可能性があるため、屋根裏の野地板側に設置したい場合もある。この場合、駆除装置を手に持って、屋根裏の床（屋根裏の下の部屋の天井）に人が立って設置しなくてはならず、なるべくなら避けたい行為である。
【００７６】
図８に示すように、本実施形態の突っ張りブラケットを備えた機器１５０は、屋根裏１６０の床（屋根裏下の部屋の天井）１６１と野地板１６２の間に設置される。床１６１に設けた点検口１６３の近くに突っ張りブラケットを備えた機器１５０を設置する。なお、本実施形態の機器１５０の突っ張りブラケット１０において、図１〜図４に示す部材と同じ部材には同じ符号を付してその説明を省略する。
【００７７】
突っ張りブラケット１０は、第２突っ張りプレート３０の第２プレート本体３３の裏面に予め駆除装置１４０を取り付けている。突っ張りブラケットを備えた機器１５０は、作業者により仮止め状態で点検口１６３から屋根裏１６０内に差し入れられ、第２突っ張りプレート３０の第２突き当て部３１を野地板１６２に当接し、第１突っ張りプレート２０の第１突き当て部２１を床１６１に当接する。
【００７８】
その際、第２実施形態と同様に、第１突っ張りプレート２０を床１６１に対して傾斜させ、第２突っ張りプレート３０を垂直としている。ネジ５０を締め付けると、接続本体プレート３８が矢印Ｆ１方向に曲げ変位し、第１突き当て部２１には矢印Ｆ２方向への力が作用するが第１突き当て部２１は矢印Ｆ２方向に移動できない。このため、この曲げ変位により、突っ張りブラケット１０には全体に曲げ応力が発生し、曲げ応力に基づいて生じる突っ張り力で第１突き当て部２１と第２突き当て部３１がそれぞれ床１６１と野地板１６２に向けて押し付けられ、突っ張りブラケットを備えた機器１５０が固定される。
【００７９】
本実施形態において、第１突っ張りプレート２０の第１プレート本体２３を短くし、第１接続部２２を点検口１６３に近づけている。このため、作業者は点検口１６３から頭を少し屋根裏１６０内に少し出した状態、あるいは点検口１６３を通して作業者の腕を出した状態で、作業者の手に握ったドライバーによりネジ５０のネジ締めが行える。また、第１突っ張りプレート２０が点検口１６３に向いて傾斜しているので、ドライバーによるネジ締め作業が容易に行える。
【００８０】
なお、野地板１６２が傾斜している場合には、第２突き当て部３１に野地板１６２の傾斜に合わせたキャップを装着するようにしても良い。また、野地板１６２が取り付けられる水平な桁部材である母屋に第２突き当て部３１を突き当てるようにしても良い。
【００８１】
本実施形態によれば、突っ張りブラケットを備えた機器１５０は、駆除装置１４０に突っ張りブラケット１０が予め取り付けられているので、作業者が例えば屋根裏１６０の点検口１６３から少し頭が出た程度の状態で、駆除装置１４０を野地板１６２に近い位置に設置する事が可能となり、屋根裏１６０の床１６１に作業者が立ち入る事が不要となる。
【００８２】
第４実施形態
図９は第４実施形態を示す。
【００８３】
本実施形態は、垂直な対向する第１壁１７１と第２壁１７２の間に、突っ張りブラケット１８０を水平方向に配置したものである。
【００８４】
本実施形態の突っ張りブラケット１８０において、図１〜図４に示す突っ張りブラケット１０と同じ部材には同じ符号を付してその説明を省略する。
【００８５】
本実施形態の突っ張りブラケット１８０は、第１突っ張りプレート２０と第２突っ張りプレート３０により構成し、第１実施形態の突っ張りブラケット１０とは以下の点で構成が相違する。
【００８６】
第１相違点
第１実施形態の突っ張りブラケット１０は、第２突っ張りブラケット３０の第２接続部３２の表面に第１突っ張りブラケット２０の第１接続部２２を重ねるのに対し、本実施形態の突っ張りブラケット１８０は逆に第１接続部２２の表面に第２接続部３２を重ねている。
【００８７】
第２相違点
突っ張りブラケット１８０は、第１接続部２２に第１実施形態で設けていた長孔２５に代えてネジ５０が挿通するネジ挿通孔２５Ａを設け、裏面側にネジ挿通孔２５Ａに対応してネジ５０が螺合するナット５１を設けている。また、第２接続部３２の接続本体プレート３８は、第１実施形態で設けていたネジ挿通孔３５に代えて長孔３５Ａを設け、第１実施形態で設けていたナット５１を廃止している。
【００８８】
第３相違点
突っ張りブラケット１８０は、第１接続部２２の下面側に凸部４０Ａを設け、第１実施形態の接続本体プレート３８の一端に設けた凸部４０を廃止し、新たに第１接続部２２に設けた凸部４０Ａは、ネジ挿通孔２５Ａよりも段差部２４側に設けている。なお、第２突っ張りプレート３０が第１突っ張りプレート２０に対してスライド可能な範囲で、凸部４０Ａが接続本体プレート３８の上面側と当接する。
【００８９】
第４相違点
ネジ５０は、長孔３５Ａからネジ挿通孔２５Ａを通してナット５１にねじ込まれる。相違点は上記した４点である。
【００９０】
本実施形態において、突っ張りブラケット１８０は、第１突っ張りプレート２０と第２突っ張りプレート３０が第１壁１７１および第２壁１７２と垂直な水平線１７３に対して下向きに傾斜して配置される。仮止め状態において、第１突っ張りプレート２０の第１突き当て部２１と第２突っ張りプレート３０の第２突き当て部３１は、垂直方向において、凸部４０Ａの下端よりも下方に位置して第１壁１７１および第２壁１７２に当接している。
【００９１】
仮止め状態からさらにネジ５０を締め付けると、接続本体プレート３８の後端が凸部４０Ａに当接し、凸部４０Ａを支点として接続本体プレート３８が第１当接部２２側へ向けて引きつけられ、第２突っ張りプレート３０が全体的に上方に向けて曲げ変位を受ける。その際、第２突っ張りプレート３０の第２突き当て部３１と凸部４０Ａとの直線距離をＲとし、凸部４０Ａと第２壁１７２の水平方向における直線距離をＭとする。第２突き当て部３１には凸部４０Ａを中心に上方に向かう回転力が作用するが、Ｒ＞Ｍの関係のため、第２突き当て部３１は第２壁１７２に当接した状態に維持される。
【００９２】
一方、第１突っ張りプレート２０の第１突き当て部２１にも上方に向けた回転力が作用するが、第２突き当て部３１と同様に第１壁１７１に当接した状態が維持される。したがって、突っ張りブラケット１８０には曲げ変位に伴う曲げ応力が長さ方向外向きに発生する。そして、この曲げ応力に基づく突っ張り力によって、第１突き当て部２１および第２突き当て部３１が第１壁１７１および第２壁１７２に押し付けられ、突っ張りブラケット１８０が第１壁１７１と第２壁１７２の間に固定される。
【００９３】
本実施形態では、第１接続部２２と第２接続部３２とが重なった部分の上部に機器である監視カメラ１９１を取り付けている。また、突っ張りブラケット１８０に監視カメラ１９１を取り付けることができ、また、第１突っ張りプレート２０と第２突っ張りプレート３０にＳ字フック１９２を取り付けて帽子１９３等を引っ掛けることができるようにしている。
【００９４】
本実施形態によれば、突っ張りブラケット１８０を例えば屋外に設置して監視カメラ１９１を上面に設置し、あるいは部屋内では突っ張りブラケット１８０の下面側にＳ字フック１９２を介して帽子１９３等の小物を吊るしたりする事が可能となる。突っ張りブラケット１８０に重量が掛かっても、突っ張りブラケット１８０は「へ」の字形状から直線形状に向けて変形し、この変形に基づく軸力が第１突き当て部２１と第２突き当て部３１に加わり、突っ張り力は増幅する事となり、落ちずに物を保持することができる。
【００９５】
なお、第３相違点は、第１接続部２２の下面側に凸部４０Ａを設け、第１実施形態の接続本体プレート３８の一端に設けた凸部４０を廃止しているが、第１実施形態と同様に、第１接続部２２の下面側には凸部４０Ａを設けず、接続本体プレート３８の一端に凸部４０を設けた構成であっても良い。
【符号の説明】
【００９６】
Ｈ１、Ｈ２、Ｈ３…高さ納付      θ…鈍角      Ｌ…垂線      Ｍ…直線距離
Ｒ…直線距離（半径）      Ｓ１…第１空所      Ｓ２…第２空所
Ｆ１、Ｆ２…矢印
１…第１取り付け面      ２…第２取り付け面
１０…突っ張りブラケット      ２０…第１突っ張りプレート      ２１…第１突き当て部      ２２…第１接続部      ２３…第１プレート本体      ２４…第１段差部
２５…長孔      ２５Ａ…ネジ挿通孔      ２６…第１突出部
３０…第２突っ張りプレート      ３１…第２突き当て部      ３２…第２接続部
３３…第２プレート本体      ３４…第２段差部      ３５…ネジ挿通孔
３５Ａ…長孔      ３６…第２突出部      ３７…折り曲げ部
３８…接続本体プレート      ３９…後退プレート      ４０、４０Ａ…凸部
５０…ネジ      ５１…ナット
１００…ハイブリッド自動車      １０１…車室内      １０２…バッテリーケース
１０２Ａ…後開口部      １０２Ｂ…後壁パネル部      １０２Ｃ…桟部
１０３…バッテリーユニット      １０４…運転席      １０５…助手席
１０６…ボディーパネル      １０７…フロアー面
１１１…クーリングファン      １１２…上吸気口      １１３…下吸気口
１１４…保護板      １１５…上後板      １１６…下後板
１２０…突っ張りブラケットを備えた機器      １２１…送風ファン
１３０…突っ張りブラケット      １３１…第１開口部      １３２…第２開口部
１４０…駆除装置      １５０…突っ張りブラケットを備えた機器      １６０…屋根裏
１６１…床      １６２…野地板      １６３…点検口
１７１…第１壁      １７２…第２壁      １８０…突っ張りブラケット
１９１…監視カメラ      １９２…Ｓ字フック      １９３…帽子
【図１】
2020060204.tif 000003
【図２】
2020060204.tif 000004
【図３】
2020060204.tif 000005
【図４】
2020060204.tif 000006
【図５】
2020060204.tif 000007
【図６】
2020060204.tif 000008
【図７】
2020060204.tif 000009
【図８】
2020060204.tif 000010
【図９】
2020060204.tif 000011